(57)【要約】【課題】  本発明は内部に圧力センサを備え、ガソリン等の油漏れや、有機溶剤等の溶剤漏れを事前に検知する圧力センサを備えた埋設タンクの二重殻構造に関する。【解決手段】  内殻と、外殻と、該内殻と外殻間の微少空間に設けられた圧力センサと、を備えた二重殻構造の埋設タンクであって、前記内殻や外郭に腐蝕や孔蝕を生じ、更に腐蝕穴や孔蝕穴によって微少空間の圧力が予め設定した値から外れた場合、前記圧力センサがこれを検知し、埋設タンクの不良を管理者に通知する圧力センサを備えた埋設タンクの二重殻構造を特徴とする。【選択図】  図１
2020200068.tif 000002
【特許請求の範囲】
【請求項１】
内殻と、外殻と、該内殻と外殻間の微少空間の圧力を検知する圧力センサと、を備えた二重殻構造の埋設タンクであって、
前記内殻や外郭に腐蝕や孔蝕を生じ、更に腐蝕穴や孔蝕穴によって前記微少空間の圧力が予め設定した値から外れた場合、前記圧力センサがこれを検知し、埋設タンクの不良を管理者に通知することを特徴とする圧力センサを備えた埋設タンクの二重殻構造。
【請求項２】
前記圧力センサは、圧力変動検知装置であって、測定値が予め設定した所定値から外れた場合、埋設タンクの不良を管理者に通知することを特徴とする請求項１に記載の圧力センサを備えた埋設タンクの二重殻構造。
【請求項３】
前記圧力センサ、又は前記圧力変動検知装置の情報は通信回線を介して外部のモニタに送信され、埋設タンクの欠陥表示を前記モニタに行うことを特徴とする請求項１、又は２に記載の圧力センサを備えた埋設タンクの二重殻構造。
【請求項４】
内殻と、外殻と、該内殻と外殻間の微少空間の圧力を検知する圧力センサと、を備えた二重殻構造の埋設タンクに使用される制御装置に導入するプログラムであって、
前記内殻や外郭に腐蝕や孔蝕を生じ、前記微少空間の圧力が予め設定した値から外れた場合、前記制御装置は前記圧力センサ又は圧力変動検知装置が検知した情報を管理者のパソコンに送信し、パソコンのディスプレイに埋設タンクの欠陥表示を行うことを特徴とする欠陥検出プログラム。
【請求項５】
内殻と、外殻と、該内殻と外殻間の微少空間の圧力を検知する圧力センサと、を備えた二重殻構造の埋設タンクに使用される制御装置の制御方法であって、
前記内殻や外郭に腐蝕や孔蝕を生じ、前記微少空間の圧力が予め設定した値から外れた場合、前記制御装置は前記圧力センサ又は圧力変動検知装置が検知した情報を管理者のパソコンに送信し、パソコンのディスプレイに埋設タンクの欠陥表示を行うことを特徴とする制御方法。
【発明の詳細な説明】
【技術分野】
【０００１】
本発明は既設埋設タンクの内側にＦＲＰ等で厚さ数ｍｍの殻を作り、その内殻と埋設タンクとの間に微少空間を設け、その微少空間を加圧又は減圧し、圧力変動を検知する構造を備え、ガソリン等の油漏れや有機溶剤等の溶剤漏れを事前に検知する埋設タンクの二重殻構造に関する。
【背景技術】
【０００２】
今日、ガソリンスタンド等において、油貯蔵用の鋼製の地下タンクが広く使用されている。また、トルエンや、キシレン、アルコール等の有機溶剤を貯留する溶剤タンクも燃料電池車等の普及に伴って増加している。
【０００３】
しかし、このような埋設タンクは、長期間の使用により経年変化し、腐蝕や孔蝕を生じる場合があり、このような場合油漏れや溶剤漏れの原因となる。さらに、一旦鋼製タンクを埋設した場合、地上からタンクの腐蝕や孔蝕を点検することは困難である。
【０００４】
このため、例えば特許文献１はタンクの製造において高度な加工技術が不要でかつ製作の手間が掛からず、施工手間が少ない合成樹脂製の埋設タンクの提案が行われている。しかしながら、一旦ガソリン等の油漏れや溶剤漏れが発生すると、土壌汚染等の環境への影響が大きい。特に油漏れや溶剤漏れが長期間続く場合、土壌汚染のみならず地下水等への浸透が大きな社会問題となる。
【先行技術文献】
【特許文献】
【０００５】
【特許文献１】特開２００３−２６１１９５号公報
【発明の概要】
【発明が解決しようとする課題】
【０００６】
そこで、本発明は地下に埋設するタンクを二重殻構造の埋設タンクとし、更に油漏れや溶剤漏れを検知する検知器として圧力センサを備えた埋設タンクとすることによって、油漏れや溶剤漏れが発生する前に、内殻と外殻間の隙間部の圧力変化を検出し、土壌汚染等を未然に防止し、地下水の汚染等の環境への悪影響を無くす微少空間の加圧又は減圧の変動を検知する圧力センサ及び警報機を備えた埋設タンクの二重殻構造を提供するものである。
【課題を解決するための手段】
【０００７】
本発明は上記課題を解決するため、内殻と、外殻と、該内殻と外殻間の微少空間の圧力を検知する圧力センサと、を備えた二重殻構造の埋設タンクであって、例えば内殻や外郭に腐蝕や孔蝕を生じ、更に腐蝕穴や孔蝕穴によって微少空間の圧力が予め設定した値から外れた場合、上記圧力センサがこれを検知し、埋設タンクの不良を管理者に通知する二重殻構造の埋設タンクを提供することによって達成できる。
【０００８】
また、上記圧力センサは、圧力変動検知装置であって、測定値が予め設定した値から外れた場合、埋設タンクの不良を管理者に通知する。
【０００９】
また、上記圧力センサ又は圧力変動検知装置による検知情報は通信回線を介して外部のモニタに送信され、埋設タンクの欠陥表示をモニタに行うことを特徴とする。
【００１０】
また、本発明は上記課題を解決するため、内殻と、外殻と、該内殻と外殻間の微少空間の圧力を検知する圧力センサ（圧力変動検知装置）と、を備えた二重殻構造の埋設タンクに使用される制御装置に欠陥検出プログラムをインストールし、例えば内殻や外郭に腐蝕や孔蝕を生じ、微少空間の圧力が予め設定した値から外れた場合、上記プログラムに従って、制御装置は上記圧力センサ又は圧力変動検知装置が検知した情報を管理者のパソコンに送信し、パソコンのディスプレイに埋設タンクの欠陥表示を行う。
【００１１】
さらに、本発明は上記課題を解決するため、内殻と、外殻と、該内殻と外殻間の微少空間の圧力を検知する圧力センサと、を備えた二重殻構造の埋設タンクに使用される制御装置の制御方法であって、  前記内殻や外郭に腐蝕や孔蝕を生じ、前記微少空間の圧力が予め設定した値から外れた場合、前記制御装置は前記圧力センサ又は圧力変動検知装置が検知した情報を管理者のパソコンに送信し、パソコンのディスプレイに埋設タンクの欠陥表示を行うことを特徴とする。
【発明の効果】
【００１２】
本発明によれば、圧力センサや圧力変動検知装置を備えた二重殻構造の埋設タンクを使用することによって、埋設タンクに生じる腐蝕や孔蝕を早期に知ることができ、油漏れや溶剤漏れに起因する土壌汚染等を未然に防止することができる。
【図面の簡単な説明】
【００１３】
【図１】本実施形態の圧力センサを備えた二重殻構造の埋設タンクの例を示す図である。
【図２】埋設タンクに設置された圧力センサを含む圧力変動検知システムを説明する図である。
【図３】事務所に設けられたパソコンの構成を示す図である。
【図４】微少空間の基準圧力の初期設定処理を説明するフローチャートである。
【図５】圧力センサによる欠陥検出処理について説明するフローチャートである。
【発明を実施するための形態】
【００１４】
以下、本発明の実施形態について、図面を参照しながら詳細に説明する。
図１は本実施形態の圧力センサを備えた二重殻構造の埋設タンクの例を示す図である。同図において、埋設タンク１には、例えばガソリンを入れる注油管２、地下タンク１からガソリンを吸引する給油管３、埋設タンク１の通気を行う通気管４、及び埋設タンク１に貯蔵されたガソリンの液面高を計測する液面計５が設置されている。また、埋設タンク１は地表から所定の深さに埋設され、埋設タンク１上はコンクリートが施設されている。
【００１５】
注油管２には地表に注油口７が設けられ、注油口７からガソリンの注油を行う。また、給油管３には地表に計量器、ポンプ等の機器類８が設けられ、埋設タンク１からガソリンを吸引し、吸引するガソリンの計量を行う。また、上記注油管２にはバルブ９が設けられ、給油管３にはバルブ１０が設けられている。尚、通気管４には通気口１２が設けられ、埋設タンク１内で発生するガスを排出する。
【００１６】
また、本例の埋設タンク１には圧力検出筒１５が設けられ、この圧力検出筒１５の上部には後述する微少空間の圧力変動を検出する圧力変動検知装置１６が設けられている。
【００１７】
図２は、上記圧力検出筒１５及び圧力変動検知装置１６近傍の拡大図であり、本例の圧力変動検知システムを詳しく説明する図である。同図に示すように、埋設タンク１は鋼板で形成された外殻２４とＦＲＰ（繊維強化複合材）で形成された内殻２５で構成され、鋼板（外殻）の下面には錆止めのプライマー加工２３が施されている。また、外殻２４と内殻２５間にはスペーサが介装され、一定の微少空間２６が形成されている。この微少空間２６は外殻２４と内殻２５との間の圧力検出空間でもある。
【００１８】
圧力検出筒１５は微少空間（圧力検出空間）２６に連通しており、圧力検出筒１５には微少空間２６に加わる圧力と同じ圧力が掛かる。圧力検出筒１５の上部には圧力検査用ノズル１７が設けられ、開閉弁１８を介して圧力変動検知装置１６に接続されている。
【００１９】
圧力変動検知装置１６は内部に圧力センサを備え、上記微少空間２６の圧力変動を検知する。また、この圧力変動検知装置１６の上部には圧力表示メータ１９が設けられている。この圧力表示メータ１９は圧力変動検知装置１６が検知した微少空間２６の圧力値を表示し、主に微少空間２６の初期圧力の設定時において利用される。
【００２０】
また、圧力変動検知装置１６には開閉弁２０を介して、加減圧ポンプ２１が接続されている。この加減圧ポンプ２１は微少空間２６の初期圧力の設定に使用される。例えば、開閉弁２０を開放し、加減圧ポンプ２１を操作し、圧力表示メータ１９を見ながら微少空間２６の初期圧力の設定を行う。
【００２１】
圧力変動検知装置１６は微少空間２６（圧力検出筒１５）の内部圧力を検知し、予め設定した範囲を超える圧力を検出すると、管理者に通知する構成である。この為、同図に示すように、圧力変動検知装置１６から事務所３０に設置されたパソコン３１に信号線３２が延びており、圧力変動検知装置１６が検出する微少空間２６の圧力変動の情報をパソコン３１に常時送信する。そして、検出値が予め設定した範囲を超える値を検出すると、管理者に通知する構成である。
【００２２】
尚、上記圧力検出筒１５及び圧力変動検知装置１６は、図１に示すように埋設タンク１の上部に設けられた点検口２２内に設置されている。
【００２３】
図３は事務所３０設けられたパソコン３１の構成を示す図であり、ＣＰＵ３３、ＲＯＭ３４、ＲＡＭ３５等で構成され、ＲＯＭ３４に記憶されたプログラムに従って本例の処理を行い、必要に応じて記録装置３６にアクセスする。また、ディスプレイ３７には必要な情報が表示され、例えば上記信号線３２を介して入力する微少空間２６の圧力データを表示する。
【００２４】
尚、本例のシステム制御はＲＯＭ３４に記憶されたプログラムに従って実行されるが、同図に示すようにコンピュータに配設されたメディアドライバにＣＤ−ＲＯＭ、フレキシブルディスク、ＭＯ等の記録媒体３８を装着し、この記録媒体３８から上記プログラムを読み出して使用する構成としてもよい。
【００２５】
以上の構成の埋設タンク１において、以下に本例の処理動作を説明する。
先ず、微少空間２６の基準圧力の初期設定を行う。図４はこの処理を説明するフローチャートである。先ず、開閉弁１８を開き、開閉弁２０を閉じ、圧力変動検知装置１６によって微少空間２６（圧力検出筒１５）の初期圧力を測定する（ステップ（以下、Ｓで示す）１）。尚、この作業は、例えば作業者が点検口２２内に入り、開閉弁１８、２０を操作し、圧力表示メータ１９を目視しながら行う。
【００２６】
そして、先ず微少空間２６の初期圧力が大気圧以上であるか否かを判断する（Ｓ２）。ここで、初期値が大気圧以上である場合（Ｓ２がＹＥＳ）、微少空間２６が比較的高い圧力状態であると判断し、初期圧力の範囲をＰ１〜Ｐ２に設定する（Ｓ３）。例えば、Ｐ１を１０００ｍｍＨｇに設定し、Ｐ２を１２００ｍｍＨｇに設定する。この圧力範囲を埋設タンク１に腐蝕穴や孔蝕穴が形成されていない正常な微少空間２６の圧力範囲とする。
【００２７】
一方、初期値が大気圧以下である場合（Ｓ２がＮＯ）、圧力検出空間２６が比較的低い圧力状態であると判断し、基準となる初期圧力の範囲をＰ３〜Ｐ４に設定する（Ｓ４）。即ちこの場合、この圧力範囲を埋設タンク１に腐蝕穴や孔蝕穴が形成されていない正常範囲とする。このように、初期設定時２つの範囲を設定する理由は、例えば夏と冬では土壌温度が異なり、またタンクローリ車から荷卸しされたガソリン等の油や有機溶剤の温度も季節によって異なり、埋設タンク１を構成する鋼板やＦＲＰの収縮や拡張現象を考慮する為である。
【００２８】
次に、以上のようにして設定した埋設タンク１において、圧力変動検知装置１６による欠陥検出処理について説明する。図５はこの処理を説明するフローチャートである。
事務所３０に設置されたパソコン３１は常時圧力変動検知装置１６からのデータを受信しており、前述のプログラムに従って圧力変動検知装置１６からの圧力情報を監視している（ステップ（以下、ＳＴで示す）１）。ここで、例えば本例の初期設定の圧力範囲が大気圧以上に設定されている場合（ＳＴ２がＹＥＳ）、圧力変動検知装置１６からの検出データが初期設定のＰ１〜Ｐ２の範囲内であるか判断する。
【００２９】
具体的には、先ず圧力変動検知装置１６の検知圧力がＰ１以下であるか判断する（ＳＴ３）。ここで、圧力変動検知装置１６の検知圧力がＰ１以下でなければ（ＳＴ３がＮＯ）、更に圧力変動検知装置１６の検知圧力がＰ２以上であるか判断する（ＳＴ４）。そして、検知圧力がＰ２以上でなければ（ＳＴ４がＮＯ）、微少空間２６は正常な圧力範囲であると判断し、微少空間２６の圧力監視を継続する（ＳＴ１〜ＳＴ４）。
【００３０】
一方、初期設定のＰ１〜Ｐ２の範囲から外れた場合（ＳＴ３がＹＥＳ、又はＳＴ４がＹＥＳ）、微少空間２６に油漏れや溶剤漏れの原因となる腐蝕穴や孔蝕穴が形成されたものと判断して、例えばパソコン３１のディスプレイ３７に表示を行う。また、上記表示と共にアラームを鳴らし、管理者に異常を知らせる（ＳＴ５）。
【００３１】
尚、初期設定の下限値Ｐ１以下に圧力が下がる場合としては、例えば外殻２４や内殻２５に腐蝕穴や孔蝕穴が形成され、微少空間２６内の空気が流出して下限値以下になる場合である。一方、初期設定の上限値Ｐ２以上に圧力が上がる場合としては、内殻２５に腐蝕穴や孔蝕穴が形成され、油や有機溶剤が微少空間２６に侵入し、又は外殻２４に腐蝕穴や孔蝕穴が形成され、地下水等が微少空間２６に侵入してきた場合である。
【００３２】
一方、初期設定の圧力範囲が大気圧以下に設定されている場合（ＳＴ２がＮＯ）、圧力変動検知装置１６からの検出データが初期設定のＰ３〜Ｐ４の範囲内であるか判断する（ＳＴ５）。即ちこの場合も、先ず圧力変動検知装置１６の検知圧力がＰ３以下であるか判断する（ＳＴ６）。ここで、圧力変動検知装置１６の検知圧力がＰ３以下でなければ（ＳＴ６がＮＯ）、更に検知圧力がＰ４以上であるか判断する（ＳＴ７）。そして、圧力変動検知装置１６の検知圧力がＰ４以上でなければ（ＳＴ７がＮＯ）、微少空間２６は正常な圧力範囲であると判断し、微少空間２６の監視を継続する（ＳＴ１、ＳＴ２、ＳＴ６、ＳＴ７）。
【００３３】
一方、初期設定のＰ３〜Ｐ４の範囲から外れた場合（ＳＴ６がＹＥＳ、又はＳＴ７がＹＥＳ）、微少空間２６に油漏れや溶剤漏れの原因となる腐蝕穴や孔蝕穴が形成されたものと判断して、前述と同様パソコン３１のディスプレイ３７に表示を行い、この表示と共にアラームを鳴らし、管理者に異常を知らせる（ＳＴ８）。尚、この場合も、初期設定の下限値Ｐ３以下に圧力が下がる場合としては、例えば外殻２４や内殻２５に腐蝕穴や孔蝕穴が形成され、圧力検出空間２６内の空気が流出して下限値以下になる場合であり、一方初期設定の上限値Ｐ４以上に圧力が上がる場合としては、内殻２５に腐蝕穴や孔蝕穴が形成され、油や有機溶剤が微少空間２６に侵入し、又は外殻２４に腐蝕穴や孔蝕穴が形成され地下水等が微少空間２６に侵入してきた場合である。
【００３４】
使用によって埋設タンク１の鋼板やＦＲＰに劣化が生じると、腐蝕穴や孔蝕穴が発生し、当該箇所からガソリン（油）や有機溶剤が浸入する。しかし、以上のように、本例によれば内殻と外殻間の微少空間２６を圧力検出空間として利用し、この微少空間２６の空間圧力を圧力変動検知装置１６によって常時監視し、腐蝕穴や孔蝕穴が形成されると、直ちに圧力変動検知装置１６が圧力の異常を検知し、管理者に通知することができ、ガソリン（油）漏れや有機溶剤の漏れによる土壌の汚染等を防止できる。
【００３５】
尚、上記実施形態の説明では微少空間２６の初期値として、Ｐ１を１０００ｍｍＨｇに設定し、Ｐ２を１２００ｍｍＨｇに設定したが、Ｐ３及びＰ４の初期圧力値も含めて、任意に設定可能であり、上記値に限定されるものではない。
【符号の説明】
【００３６】
１・・・埋設タンク
２・・・注油管
３・・・給油管
４・・・通気管
５・・・液面計
７・・・注油口
８・・・機器類
９、１０・・バルブ
１２・・通気口
１５・・圧力検出筒
１６・・圧力変動検知装置
１７・・圧力検査用ノズル
１８、２０・・開閉弁
１９・・圧力表示メータ
２１・・加減圧ポンプ
２２・・点検口
２３・・プライマー加工
２４・・外殻
２５・・内殻
２６・・微少空間
３０・・事務所
３１・・パソコン
３２・・信号線
３３・・ＣＰＵ
３４・・ＲＯＭ
３５・・ＲＡＭ
３６・・記録装置
３８・・記録媒体
【図１】
2020200068.tif 000003
【図２】
2020200068.tif 000004
【図３】
2020200068.tif 000005
【図４】
2020200068.tif 000006
【図５】
2020200068.tif 000007